(57)【要約】【課題】指針が浮遊しているような斬新な見栄えを実現し得る指針式計器を提供する。【解決手段】駆動源５と、観察者に向けて徐々に拡径する円錐部６２と、この円錐部６２に当該円錐部６２の円錐軸ＣＡを基準として円弧状に配列された指標部６２２を備える表示板６と、駆動源５に連結され指標部６２２を指示する指針７とを備え、表示板６が円錐部６２の深さ方向中間部に指標部６２２に沿って延びる開口部６３を有し、指針７が開口部６３から円錐部６３内に露出し指標部６２２を指示する指示部７７を有する。【選択図】図２
2010151786.tif 000002
【特許請求の範囲】
【請求項１】
駆動源と、
観察者に向けて徐々に拡径する円錐部と、この円錐部に当該円錐部の円錐軸を基準として円弧状に配列された指標部を備える表示板と、
前記駆動源に連結され前記指標部を指示する指針とを備え、
前記表示板が前記円錐部の深さ方向中間部に前記指標部に沿って延びる開口部を有し、
前記指針が前記開口部から前記円錐部内に露出し前記指標部を指示する指示部を有することを特徴とする指針式計器。
【請求項２】
前記円錐部がその深さ方向中間部に前記円錐軸に沿って延びる立壁部を有し、この立壁部に前記開口部を設けたことを特徴とする請求項１記載の指針式計器。
【請求項３】
前記表示板が前記観察者から奥まった位置に配置される第１の円錐部を有する第１の表示板と、前記第１の円錐部よりも前記観察者側に配置され前記第１の円錐部と組み合われることにより前記円錐部を形成する第２の円錐部を有する第２の表示板とからなると共に、前記第１の円錐部と前記第２の円錐部とを離間させることにより前記開口部を形成してなることを特徴とする請求項１記載の指針式計器。
【請求項４】
前記第２の円錐部に対向する前記第１の円錐部の前記円錐軸側端部と第１の円錐部に対向する前記第２の円錐部の前記円錐軸側端部とが前記円錐軸の軸方向において同位置か、もしくは前記第１の円錐部の前記円錐軸側端部を前記第２の円錐部の前記円錐軸側端部よりも前記円錐軸から遠い位置に設定してなることを特徴とする請求項３記載の指針式計器。
【請求項５】
前記第２の円錐部が前記第１の円錐部を視認可能とする開口孔を有し、この開口孔よりも第１の円錐部６２ａが大きく形成されることを特徴とする請求項３記載の指針式計器。
【請求項６】
前記第１の円錐部は前記開口部の周縁から前記円錐軸に向かって暗色から明色に変化するグラデーション部を設けたことを特徴とする請求項３記載の指針式計器。
【請求項７】
前記第２の円錐部は前記開口部の周縁から前記円錐軸に向かって明色から暗色に変化するグラデーション部を設け、前記第１の円錐部の少なくとも前記開口部周縁領域を前記グラデーション部の暗色と同じか、それよりも暗い暗色に設定したことを特徴とする請求項３記載の指針式計器。
【発明の詳細な説明】
【技術分野】
【０００１】
本発明は、例えば車両に搭載される指針式計器に関するものである。
【背景技術】
【０００２】
この種の指針式計器として、例えば下記特許文献１に記載されているものが知られている。この指針式計器は、例えばステッピングモータからなる駆動源と、底部とこの底部から観察者に向けて徐々に拡径する円錐部とを有すると共にこの円錐部に当該円錐部の円錐軸を基準として円弧状に配列された指標部を備える表示板と、この表示板の底部上に位置して駆動源と連結される回転中心部とこの回転中心部から円錐部の斜面に沿って斜めに延び指標部を指示する指針とから構成され、表示板を円錐形状にすることで、立体的な見栄えを実現している。
【先行技術文献】
【特許文献】
【０００３】
【特許文献１】特開２００８−０５１７３０号公報
【発明の開示】
【発明が解決しようとする課題】
【０００４】
しかしながら、特許文献１の指針式計器は、指針の回転中心部が円錐部の底部に位置すると共に指示部が円錐部の斜面に沿って延びており、円錐部内において指針全体が観察者に視認されるため、指針が浮遊しているように見せることは不可能であり、改良の余地が残されていた。
【０００５】
本発明は、この点に鑑みてなされたもので、指針が浮遊しているような斬新な見栄えを実現し得る指針式計器を提供するものである。
【課題を解決するための手段】
【０００６】
本発明は、前記目的を達成するため、駆動源と、観察者に向けて徐々に拡径する円錐部と、この円錐部に当該円錐部の円錐軸を基準として円弧状に配列された指標部を備える表示板と、前記駆動源に連結され前記指標部を指示する指針とを備え、前記表示板が前記円錐部の深さ方向中間部に前記指標部に沿って延びる開口部を有し、前記指針が前記開口部から前記円錐部内に露出し前記指標部を指示する指示部を有することを特徴とする。かかる構成によれば、指針の指示部が円錐部の深さ方向中間部から円錐部内に露出することになるため、指針が浮遊しているような斬新な見栄えを実現することができる。
【０００７】
また本発明は、前記円錐部の深さ方向中間部に前記円錐軸に沿って延びる立壁部を有し、この立壁部に前記開口部を設けたことを特徴とする。かかる構成により、観察者の視線方向から見たときに開口部の存在を目立たなくすることができ、美観を向上させることができる。
【０００８】
また本発明は、前記表示板が前記観察者から奥まった位置に配置される第１の円錐部を有する第１の表示板と、前記第１の円錐部よりも前記観察者側に配置され前記第１の円錐部と組み合われることにより前記円錐部を形成する第２の円錐部を有する第２の表示板とからなると共に、前記第１の円錐部と前記第２の円錐部とを離間させることにより前記開口部を形成してなることを特徴とする。かかる構成によれば、指針の指示部が円錐部の深さ方向中間部から円錐部内に露出することになるため、指針が浮遊しているような斬新な見栄えを実現することができる。
【０００９】
また本発明は、前記第２の円錐部に対向する前記第１の円錐部の前記円錐軸側端部と第１の円錐部に対向する前記第２の円錐部の前記円錐軸側端部とが前記円錐軸の軸方向において同位置か、もしくは前記第１の円錐部の前記円錐軸側端部を前記第２の円錐部の前記円錐軸側端部よりも前記円錐軸から遠い位置に設定してなることを特徴とする。かかる構成によれば、観察者の視線方向から見たときに開口部の存在を目立たなくすることができ、美観を向上させることができる。
【００１０】
また本発明は、前記第２の円錐部が前記第１の円錐部を視認可能とする開口孔を有し、この開口孔よりも第１の円錐部６２ａが大きく形成されることを特徴とする。かかる構成によれば、美観を向上させることができると共に指針７が浮遊しているような見栄えをより強調することができる。
【００１１】
また本発明は、前記第１の円錐部は前記開口部の周縁から前記円錐軸に向かって暗色から明色に変化するグラデーション部を設けたことを特徴とする。かかる構成によれば、観察者側に位置する第２の円錐部が外光を遮ることにより奥まった位置に配置される第１の円錐部の開口部周縁に第２の円錐部の影が生じたとしても、グラデーション部の暗色部分によって影を目立たなくすることができる。
【００１２】
また本発明は、前記第２の円錐部は前記開口部の周縁から前記円錐軸に向かって明色から暗色に変化するグラデーション部を設け、前記第１の円錐部の少なくとも前記開口部周縁領域を前記グラデーション部の暗色と同じが、それよりも暗い暗色に設定したことを特徴とする。かかる構成によれば、観察者側に位置する第２の円錐部が外光を遮ることにより奥まった位置に配置される第１の円錐部の開口部周縁に第２の円錐部の影が生じたとしても、グラデーション部の暗色部分と前記第１の円錐部の暗色設定によって影を目立たなくすることができる。
【発明の効果】
【００１３】
本発明によれば、初期の目的を達成でき、指針が浮遊しているような斬新な見栄えを実現し得る指針式計器を提供することができる。
【図面の簡単な説明】
【００１４】
【図１】本発明の第１の実施形態による指針式計器の正面図。
【図２】図１の断面図。
【図３】本発明の第２の実施形態による指針式計器の断面図。
【図４】本発明の第３の実施形態による指針式計器の断面図。
【図５】本発明の第４の実施形態による指針式計器の断面図。
【図６】本発明の第５の実施形態による指針式計器の断面図。
【発明を実施するための形態】
【００１５】
図１及び図２は、本発明の第１の実施形態を示す。
【００１６】
図１，図２において、本実施形態による指針式計器は、第１，第２のケース１，２内に回路基板３と、光源４と、駆動源５と、表示板６と、指針７とを収納保持してなる。
【００１７】
第１，第２のケース１，２は、例えば合成樹脂からなり、二つを組み合わせて各収納部品を収容する枠体を構成する。
【００１８】
回路基板３は、周知な硬質配線基板からなり、図示しない回路パターンに光源４をはじめとする各種回路素子が実装されている。
【００１９】
光源４は、例えば発光ダイオードからなり、表示板６及び指針７を背後から照らすようになっている。
【００２０】
駆動源５は、例えばステッピングモータからなり、計測量に応じて指針７を回転動作させる指針軸を備えている。
【００２１】
表示板６は、透光性合成樹脂板に印刷を施してなり、底部６１と、この底部６１の外周から観察者に向かって徐々に拡径する円錐部６２とを有しており、この場合、円錐部６２の円錐軸ＣＡは、駆動源５の指針軸と位置及び延長方向が一致している。
【００２２】
底部６１は、回路基板１に平行な円板形であり、その背後に光源４や駆動源５、指針７の後述する第１の指針部の回転中心部が位置する。
【００２３】
円錐部６２には、指針７の後述する指示部の背景を構成する地部６２１と、指針６の指示対象となる目盛及び数字からなる指標部６２２とがスクリーン印刷、デジタル印刷等の手段により形成されている。
【００２４】
地部６２１は、光源４からの光の透過率を深さ方向に従って変化させることによりグラデーション発光部を形成する透過光調整層として形成することができる。この場合、円錐部６２の深部を最も光透過率を低く設定し、この深部から観察者に向かうに従って徐々に光透過率が高くなるように設定することで、例えば深部から観察者に向かうに従って例えば黒色から青色に透過色（印刷色）が変化するようにできる。
【００２５】
指標部６２２は、例えば白色に設定され、数字と目盛から構成され、円錐軸ＣＡを基準（中心）として円弧状に複数配列されている。この場合、目盛は深部に向かうに従って徐々に幅狭（先細り）となるよう放射状に形成されている。このように深部に向かうに従って徐々に幅狭とすることで、奥行き感を助長する効果がある。
【００２６】
前記数字と前記目盛の間であって円錐部６２の円錐軸ＣＡに沿った深さ方向中間部（この場合、中間部とは深さ方向等距離を示すものではなく、底部６１と円錐部６２の最も観察者側開口部との間の領域を示す）には、指標部６２２の配列形状（配列方向）に沿ってスリット形状に延びる開口部６３が形成されている。
【００２７】
指針７は、透光性合成樹脂材料からなり、観察者から不可視となる表示板６の裏側に位置して表示板６と回路基板３との間を駆動源５の指針軸（円錐軸ＣＡ）から遠ざかる方向に延びる第１の指針部７１と、同じく観察者から不可視となる表示板６の裏側に位置して第１の指針部７１から円錐軸ＣＡ方向に延びる第２の指針部７２と、この第２の指針部７２から第１の指針部７１と対向するように延び一部が観察者から不可視となる表示板６の裏側に位置すると共に他の一部が観察者から視認可能となる第３の指示部７３とを有してコ字状に形成されている。
【００２８】
第１の指針部７１は、駆動源５の指針軸に連結され、光源４と対向する箇所には、光源４から導入した光を第２の指針部７２側に反射する第１の反射部７４を有している。
【００２９】
第２の指針部７２は、第１の指針部７１との接続部分に第１の指針部７１からの光を円錐軸ＣＡ方向に反射する第２の反射部７５を有すると共に第３の指針部７３と接続部分に第２の反射部７５からの光を第３の指針部７３に反射する第３の反射部７６が形成されている。
【００３０】
第３の反射部７３は、その一部が開口部６３から円錐軸ＣＡに向かって円錐部６２内に露出し指標部６２２を指示する指示部７７を形成する。
【００３１】
以上のように、本実施形態では、駆動源５と、観察者に向けて徐々に拡径する円錐部６２と、この円錐部６２に当該円錐部６２の円錐軸ＣＡを基準として円弧状に配列された指標部６２２を備える表示板６と、駆動源５に連結され指標部６２２を指示する指針７とを備え、表示板６が円錐部６２の深さ方向中間部に指標部６２２に沿って延びる開口部６３を有し、指針７が開口部６３から円錐部６３内に露出し指標部６２２を指示する指示部７７を有することにより、指針７の指示部７７が円錐部６２の深さ方向中間部から円錐部６２内に露出することになるため、指針７が浮遊しているような斬新な見栄えを実現することができる。
【００３２】
なお本実施形態では、駆動源５の指針軸と円錐軸ＣＡを同軸とし、駆動源５の指針軸にはコ字状に迂回する指針７を連結して指示部７７を表示板６の開口部６３から露出させる構成を採用したが、開口部６３から露出する指示部７７にて指標部６２２を指示することができれば、駆動源５の位置や指針７の形状は任意であり、例えば円錐部６２の外周にリング状のギヤを設け、このリングギヤに指示部７７が開口部６３から露出するように指針を取り付けると共にリングギヤに駆動源を連結し、駆動源にて駆動されるリングギヤを通じて指針を作動させてもよい。
【００３３】
図３は、本発明の第２の実施形態を示す断面図であり、本実施形態では、円錐部６２の深さ方向中間部に円錐軸ＣＡに沿って延びる立壁部６４を有し、この立壁部６４に開口部６３を設けたものであり、その他は前記第１の実施形態と同じである。
【００３４】
このように円錐軸ＣＡに沿って延びる立壁部６４に開口部６３を設けたことにより、観察者の視線方向から見たときに開口部６３の開口エリアの存在を目立たなくすることができ、美観を向上させることができる。
【００３５】
図４は本発明の第３の実施形態を示す断面図であり、本実施形態では、表示板６が観察者から奥まった位置に配置される第１の円錐部６２ａを有する第１の表示板６０１と、第１の円錐部６２ａよりも観察者側に配置され第１の円錐部６２ａと組み合われることにより円錐部６２を形成する第２の円錐部６２ｂを有する第２の表示板６０２とからなると共に、第１の円錐部６２ａと第２の円錐部６２ｂとを円錐軸ＣＡ方向に離間させることにより開口部６３を形成してなるもので、第２の円錐部６２ｂに対向する第１の円錐部６２ａの円錐軸ＣＡ側の端部Ｅ１と、第１の円錐部６２ａに対向する第２の円錐部６２ｂの円錐軸ＣＡ側の端部Ｅ２とは、円錐軸ＣＡの軸方向において同位置に設定したものである。
【００３６】
このように表示板を第１の表示板６０１と、第２の表示板６０２とに分割し、第１の円錐部６２ａの端部Ｅ１と、第２の円錐部６２ｂの端部Ｅ２とを円錐軸ＣＡの軸方向において同位置に設定したことにより、前記第２の実施形態と同様の効果を期待できる。
【００３７】
また本実施形態では、表示板を分割したことにより、第１の円錐部６２ａの端部Ｅ１を第２の円錐部６２ｂの端部Ｅ２よりも円錐軸ＣＡから遠い位置に設定することが容易となる。
【００３８】
このように第１の円錐部６２ａの端部Ｅ１を第２の円錐部６２ｂの端部Ｅ２よりも円錐軸ＣＡから遠い位置に設定することにより、多少斜めから見ても開口部の存在を目立たなくすることができ、一層美観を向上させることができる。
【００３９】
図５は本発明の第４の実施形態を示す断面図であり、本実施形態では、第２の円錐部６２ｂの開口孔のサイズＳ１よりも第１の円錐部６２ａの外形サイズＳ２を大きくして両円錐部６２ａ，６２ｂの板面が一定の幅Ｗを有して円錐軸ＣＡの軸方向に重なるように構成する点と、第１の円錐部６２ａの地部６２１がグラデーション部Ｇを有する点とが前記第３の実施形態と相違している。
【００４０】
このように両円錐部６２ａ，６２ｂの板面が一定の幅Ｗを有して重なるように構成したことにより、円錐軸ＣＡ方向から見たとき、開口部６３を目立たなくすることができ、美観を向上させることができると共に指針７が浮遊しているような見栄えをより強調することができる。
【００４１】
またグラデーション部Ｇは、開口部６３の周縁から円錐軸ＣＡに向かう円形エリアにおいて、地色部６２１の色が開口部６３の周縁から円錐軸ＣＡに向かうに従って徐々に（境界無く滑らかに）暗色（例えば黒）、中間色、明色（例えば青）に変化するもので、ある。また第２の円錐部６２ｂの地色部６２１はグラデーション部Ｇの暗色部分（最も暗色となる部分）と同じに設定されている。  このようにグラデーション部Ｇを設けることにより、色の明暗変化によっても奥行き感を表現できることに加え、観察者側から自然光等の外光が当たった際に、観察者側に位置する第２の円錐部６２ｂや指針７が外光を遮ることにより奥まった位置に配置される第１の円錐部６２ａの開口部６３周縁に第２の円錐部６２ｂの影が生じたとしても、グラデーション部Ｇの暗色部分と第２の円錐部６２ｂの暗色設定によって影を同化させて目立たなくすることができる。この場合、グラデーション部Ｇは影の発生を考慮して暗色部分を設定することが望ましい。
【００４２】
図６は本発明の第５の実施形態を示す断面図であり、本実施形態では、第１の円錐部６２ａではなく、第２の円錐部６２ｂの地部６２１がグラデーション部Ｇを有する点が前記第４の実施形態との相違点である。
【００４３】
すなわち、グラデーション部Ｇは、開口部６３の周縁から円錐軸ＣＡに向かって徐々に（境界無く滑らかに）暗色（例えば黒）、中間色、明色（例えば青）に変化するものである。また第１の円錐部６２ａの少なくとも開口部６３周縁領域は、グラデーション部Ｇの暗色部分と同じが、それよりも暗い暗色に設定されている。
【００４４】
このように第２の円錐部６２ｂにグラデーション部Ｇを設け、第１の円錐部６２ａの少なく開口部６３周縁領域をグラデーション部Ｇの暗色部分と同じが、それよりも暗い暗色に設定したことにより、色の明暗変化によっても奥行き感を表現できることに加え、観察者側から自然光等の外光が当たった際に、観察者側に位置する第２の円錐部６２ｂや指針７が外光を遮ることにより奥まった位置に配置される第１の円錐部６２ａの開口部６３周縁に第２の円錐部６２ｂの影が生じたとしても、グラデーション部Ｇの暗色部分と第１の円錐部６２ａの暗色設定によって影を同化させて目立たなくすることができる。
【符号の説明】
【００４５】
１  第１のケース
２  第２のケース
３  回路基板
４  光源
５  駆動源
６  表示板
７  指針
６  表示板
６１  底部
６２  円錐部
６２ａ  第１の円錐部
６２ｂ  第２の円錐部
６３  開口部
６４  立壁部
７１  第１の指針部
７２  第２の指針部
７３  第３の指示部
７４  第１の反射部
７５  第２の反射部
７６  第３の反射部
７７  指示部
６２１  地部
６２２  指標部
６０１  第１の表示板
６０２  第２の表示板
ＣＡ  円錐軸
Ｅ１  端部
Ｅ２  端部
Ｇ  グラデーション部
Ｓ１，  Ｓ２  サイズ
Ｗ  幅
【図１】
2010151786.tif 000003
【図２】
2010151786.tif 000004
【図３】
2010151786.tif 000005
【図４】
2010151786.tif 000006
【図５】
2010151786.tif 000007
【図６】
2010151786.tif 000008